(57)【特許請求の範囲】
【請求項１】
前後方向と前記前後方向に直交する幅方向とを有し、前記前後方向には股下域と、前記股下域の前方に形成された前胴周り域と、前記股下域の後方に形成された後胴周り域とを有し、前記股下域には、前記前後方向へ延びる１枚のパネル状の体液吸収部と、前記体液吸収部における前記幅方向の両側縁部近傍に位置しており前記前後方向へ延びる防漏カフとが形成され、前記防漏カフが前記幅方向に外側縁部と内側縁部とを有しかつ前記前後方向に前端縁部および後端縁部とを有していて前記外側縁部が前記体液吸収部の両側縁部それぞれの近傍に固定され、前記前端縁部および前記後端縁部が前記体液吸収部の両端縁部それぞれの近傍に固定される一方、前記内側縁部が前記幅方向において前記外側縁部よりも内側にあって前記前後方向へ弾性的に伸長収縮可能に形成されているとともに前記体液吸収部の一部分を被覆している使い捨ておむつであって、
前記体液吸収部の前記股下域には、前記体液吸収部を前記幅方向において横断して前記体液吸収部を前記前後方向の断面形状が逆向きのＶ字形を画くように折曲させることが可能な第１折曲案内手段が形成されており、
前記防漏カフの前記内側縁部が、前記体液吸収部において前記逆向きのＶ字形の頂部よりも前方でありかつ前記第１折曲案内手段の近傍である部位に接合していて、前記前後方向へ弾性的に収縮することにより、前記部位と前記前端縁部との間および前記逆向きのＶ字形の頂部と前記後端縁部との間のそれぞれにおいて徐々に前記体液吸収部から離間して立ち上がり、前記第１折曲案内手段における折曲を支持可能であり、
前記第１折曲案内手段に平行しており前記第１折曲案内手段よりも前記前胴周り域寄りに位置して前記体液吸収部を前記逆向きのＶ字形とは反対のＶ字形を画くように折曲させることが可能な第２折曲案内手段と、前記第１折曲案内手段に平行しており前記第１折曲案内手段よりも前記後胴周り域寄りに位置して前記体液吸収部を前記逆向きのＶ字形とは反対のＶ字形を画くように折曲させることが可能な第３折曲案内手段とが形成されていて、
前記体液吸収部が前記おむつ着用者の肌に当接する透液性表面シートと、不透液性および透液性いずれかの裏面シートと、これら両シート間に介在する体液吸収性芯材とからなり、前記第１折曲案内手段は、前記体液吸収部の前記裏面シート側に形成されて前記幅方向へ延びる逆Ｖ字形の溝であり、前記第２折曲案内手段が前記体液吸収部の前記表面シート側に形成されて前記幅方向へ延びるＶ字形の溝であり、前記第３折曲案内手段が前記体液吸収部の前記表面シート側に形成されて前記幅方向へ延びるＶ字形の溝であって、
前記体液吸収性芯材の前記第１折曲案内手段に沿った前記幅方向の寸法が、前記体液吸収性芯材の前記第２折曲案内手段の位置に沿った前記幅方向の寸法よりも短いことを特徴とする前記おむつ。
【発明の詳細な説明】
【技術分野】
【０００１】
この発明は使い捨ておむつに関し、より詳しくは尿や軟便のおむつ前後方向への流れを止めることが可能な使い捨てのおむつに関する。
【背景技術】
【０００２】
従来、おむつの股下域においておむつ着用者の肌を汚すことがないように尿と軟便との股下域での混合を防ぐことができる使い捨ておむつは公知である。例えば、特開２００２−３１５７７８号公報（特許文献１）に開示された使い捨ておむつでは、体液吸収性を有する第１の芯材が透液性シートと不透液性シートとでサンドウィッチされてなる大きなパネルが後胴周り域と股下域とに広がるように形成されている。このおむつではまた、体液吸収性を有する第２の芯材が透液性シートで包まれてなる小さなパネルが前胴周り域と股下域の一部分とに広がるように形成されている。股下域では、小さなパネルと大きなパネルとが重なり、小さなパネルがおむつの内面側に位置しており、これら小さなパネルと大きなパネルとの間には後胴周り域に向かって開口するポケットが形成されている。後胴周り域からおむつの前方に向かって流れる軟便はこのポケットに流入して、それ以上前方への流れを止められるので、尿と混合されることがない。それゆえ、このおむつでは、股下域で尿と軟便とが混合されることによっておむつ着用者の肌を汚すという問題を解消することが可能である。
【特許文献１】特開２００２−３１５７７８号公報
【発明の開示】
【発明が解決しようとする課題】
【０００３】
特許文献１の使い捨ておむつは、体液吸収部が大きなパネルと小さなパネルとの２枚のパネルからなるもので、体液吸収部が１枚からなる従来の使い捨ておむつに比べて構造が複雑であるから、製造コストが高くなる傾向にある。また、股下域では、これら２枚のパネルが重なり合うから、股下域が嵩張っておむつの着用感が悪くなるという場合がある。
【０００４】
この発明が課題とするところは、尿と軟便との混合を防ぐときに生じるこうした問題を解消することが可能な構造の簡単な使い捨ておむつの提供である。
【課題を解決するための手段及び発明の効果】
【０００５】
前記課題解決のために、この発明が対象とするのは、前後方向と前記前後方向に直交する幅方向とを有し、前記前後方向には股下域と、前記股下域の前方に形成された前胴周り域と、前記股下域の後方に形成された後胴周り域とを有し、前記股下域には、前記前後方向へ延びる１枚のパネル状の体液吸収部と、前記体液吸収部における前記幅方向の両側縁部近傍に位置しており前記前後方向へ延びる防漏カフとが形成され、前記防漏カフが前記幅方向に外側縁部と内側縁部とを有しかつ前記前後方向に前端縁部および後端縁部とを有していて前記外側縁部が前記体液吸収部の両側縁部それぞれの近傍に固定され、前記前端縁部および前記後端縁部が前記体液吸収部の両端縁部それぞれの近傍に固定される一方、前記内側縁部が前記幅方向において前記外側縁部よりも内側にあって前記前後方向へ弾性的に伸長可能に形成されているとともに前記体液吸収部の一部分を被覆している使い捨ておむつである。
【０００６】
かかる使い捨ておむつにおいて、この発明が特徴とするところは、前記体液吸収部の前記股下域に、前記体液吸収部を前記幅方向において横断して前記体液吸収部を前記前後方向の断面形状が逆向きのＶ字形を画くように折曲させることが可能な第１折曲案内手段が形成されており、前記防漏カフの前記内側縁部が、前記体液吸収部において前記逆向きのＶ字形の頂部よりも前方でありかつ前記第１折曲案内手段の近傍である部位に接合していて、前記前後方向へ弾性的に収縮することにより、前記部位と前記前端縁部との間および前記逆向きのＶ字形の頂部と前記後端縁部との間のそれぞれにおいて徐々に前記体液吸収部から離間して立ち上がり、前記第１折曲案内手段における折曲を支持可能であり、
前記第１折曲案内手段に平行しており前記第１折曲案内手段よりも前記前胴周り域寄りに位置して前記体液吸収部を前記逆向きのＶ字形とは反対のＶ字形を画くように折曲させることが可能な第２折曲案内手段と、前記第１折曲案内手段に平行しており前記第１折曲案内手段よりも前記後胴周り域寄りに位置して前記体液吸収部を前記逆向きのＶ字形とは反対のＶ字形を画くように折曲させることが可能な第３折曲案内手段とが形成されていて、
前記体液吸収部が前記おむつ着用者の肌に当接する透液性表面シートと、不透液性および透液性いずれかの裏面シートと、これら両シート間に介在する体液吸収性芯材とからなり、前記第１折曲案内手段は、前記体液吸収部の前記裏面シート側に形成されて前記幅方向へ延びる逆Ｖ字形の溝であり、前記第２折曲案内手段が前記体液吸収部の前記表面シート側に形成されて前記幅方向へ延びるＶ字形の溝であり、前記第３折曲案内手段が前記体液吸収部の前記表面シート側に形成されて前記幅方向へ延びるＶ字形の溝であって、
前記体液吸収性芯材の前記第１折曲案内手段に沿った前記幅方向の寸法が、前記体液吸収性芯材の前記第２折曲案内手段の位置に沿った前記幅方向の寸法よりも短いこと、にある。
【０００７】
請求項１に係るこの発明に基づく使い捨ておむつでは、おむつが着用されるときに前後方向において湾曲すると、防漏カフが収縮する。その収縮に伴って、１枚のパネルからなる体液吸収部に、これを前後方向へ縮めようとする力が作用すると、体液吸収部では、その前後方向において第１折曲案内手段の近傍がおむつ着用者の肌に向かって立ち上がって断面形状が逆向きのＶ字形を画く山部を形成するように折曲されて、その山部が尿の後方へ向かっての流れを止めるとともに、軟便の前方へ向かっての流れを止める。また、防漏カフの内側縁部が、体液吸収部において逆向きのＶ字形の頂部よりも前方でありかつ第１折曲案内手段の近傍である部位に接合しているので、防漏カフの内側縁部が収縮してこの部位と前端縁部との間および逆向きのＶ字形の頂部と後端縁部との間のそれぞれにおいて徐々に体液吸収部から離間して立ち上がる際、体液吸収部における第１折曲案内手段の近傍を持ち上げるように作用する。これにより、この手段の近傍での山部の形成が確実になるとともに、形成された山部が高く持ち上がることになる。それゆえ、この使い捨ておむつでは、１枚のパネル状吸収部を使って効果的に股下域における尿と軟便との混合を防ぐことができる。
また、この態様の使い捨ておむつでは、接合部分が逆向きのＶ字形の頂部よりも前方に位置しているので、山部と重ならずに接合を確実にすることができ、前方から確実に山部を支えることができる。
また、この態様の使い捨ておむつでは、体液吸収部が第２折曲案内手段と第３折曲案内手段とにおいて谷部を形成するように折曲されるので、これら第２、第３折曲案内手段のうちの少なくとも一方の折曲案内手段を有することで、第１折曲案内手段の近傍による山部の形成が確実になる。
また、この態様の使い捨ておむつでは、体液吸収部が第１折曲案内手段として逆Ｖ字形の溝を有し、第２折曲案内手段としてＶ字形の溝を、第３折曲案内手段としてＶ字形の溝を有していて、かつ、前記体液吸収性芯材の前記第１折曲案内手段に沿った前記幅方向の寸法が、前記体液吸収性芯材の前記第２折曲案内手段の位置に沿った前記幅方向の寸法よりも短いから、防漏カフが前後方向に収縮すると、体液吸収部は、第１折曲案内手段の近傍に容易に安定的な山部を形成し、第２、第３折曲手段の近傍に容易に谷部を変形する。
【発明を実施するための最良の形態】
【００１４】
添付の図面を参照して、この発明に係る使い捨ておむつの詳細を説明すると、以下のとおりである。
【００１５】
図１，２は、使い捨ておむつ１の部分破断平面図と、後記の弾性部材１６，１７，３８が収縮することによって湾曲した状態にあるおむつ１の部分破断斜視図である。おむつ１は、双頭矢印Ａで示される前後方向と、この矢印Ａに直交する双頭矢印Ｂで示される幅方向とを有し、前後方向Ａに長い矩形のシートからなる身体被覆部２と、身体被覆部２に取り付けられた体液吸収部３とからなる。身体被覆部２は、不透液性プラスチックフィルムからなる内面シート８と、内面シート８に接合した不織布からなる外面シート９とを含み、前後方向Ａへ延びる一対の側縁部１１と、幅方向Ｂへ延びる一対の端縁部１２とを有する。身体被覆部２はまた、前後方向Ａに股部被覆域５と、股部被覆域５の前方に形成された前胴周り被覆域６と、股部被覆域５の後方に形成された後胴周り被覆域７とを有し、前胴周り被覆域６の各側縁部１１からは前方翼部１３が幅方向Ｂへ延びており、後胴周り被覆域７の各側縁部１１からは後方翼部１４が幅方向Ｂへ延びている。身体被覆部２の各側縁部１１では、内面シート８と外面シート９との間にあって前後方向Ａへ延びる脚周り弾性部材１６がこれらシート８，９の少なくとも一方に伸長状態で取り付けられており、後胴周り被覆域７の端縁部１２では、内面シート８と外面シート９との間にあって幅方向Ｂへ延びる胴周り弾性部材１７がこれらシート８，９の少なくとも一方の内面に伸長状態で取り付けられている。前方および後方翼部１３，１４は、不織布、プラスチックフィルムまたはこれら両者がラミネートされたものからなり、後方翼部１４の内面には粘着剤等で形成されたファスナ１８が設けられている。おむつ１を着用するときに、後方翼部１４は、前胴周り被覆域６における外面シート９の所定部位や前方翼部１３の外面に剥離可能に止着することができる。
【００１６】
体液吸収部３は表面シート２１と裏面シート２２と、これら両シート２１，２２間に介在する芯材２３とを含み、表面シート２１と裏面シート２２とが芯材２３の周縁２４から延出して重なり合い、接着または溶着によって互いに接合して前後方向Ａへ延びる一対の側縁部２６と、幅方向Ｂへ延びる一対の端縁部２７とを形成している。各側縁部２６の近傍には、前後方向Ａへ延びる防漏カフ２８が形成されている。防漏カフ２８は、内側縁部３１と、外側縁部３２と、前端縁部３３と、後端縁部３４とを有し、外側縁部３２と前端縁部３３と後端縁部３４とが接着剤３６を介して体液吸収部３の側縁部２６と端縁部２７とにおける表面シート２１および／または裏面シート２２に接合している。防漏カフ２８の内側縁部３１は、外側縁部３２よりも体液吸収部３の幅を二等分しているおむつ１の中心線Ｃ−Ｃ寄りに位置して体液吸収部３を部分的に覆っている。内側縁部３１に形成されたスリーブ３７の内側には弾性部材３８が伸長状態で取り付けられている。かように形成された図１のおむつ１は、脚周り弾性部材１６と胴周り弾性部材１７と防漏カフ２８の弾性部材３８とが収縮することによって、前後方向Ａにおいて湾曲するとともに、身体被覆部２と体液吸収部３とが、股部被覆域５において幅方向へ延びる仮想線Ｐ−Ｐ，Ｑ−ＱおよびＲ−Ｒによって示される第１、第２、第３折曲案内手段５１，５２，５３（図３，４参照）に沿って折曲されて図２の状態になる。
【００１７】
図３，４は、図１のＩＩＩ−ＩＩＩに沿った断面を示す図と、図２のＩＶ−ＩＶ線に沿った断面を示す図であって、ＩＩＩ−ＩＩＩ線は図１のＣ−Ｃ線に一致し、ＩＶ−ＩＶ線は図２のＣ−Ｃ線に一致している。体液吸収部３における表面シート２１は透液性のもので、不織布または開孔プラスチックフィルムによって形成されている。裏面シート２２は、不透液性または透液性のものであって、不織布またはプラスチックフィルムによって形成されている。表面シート２１と裏面シート２２とでサンドウィッチされた芯材２３は、粉砕パルプや粉砕パルプと高吸水性ポリマー粒子との混合物等からなる体液吸収性材料４１をティッシュペーパ等の体液拡散性に優れた透液性シート４２で被覆してなるパネル状のもので、平面形状が砂時計形を呈し（図１参照）、股部被覆域５では内側へ湾曲して前後胴周り被覆域６，７における幅よりも狭くなるように作られている。透液性シート４２は、好ましくは表面シート２１と裏面シート２２とにホットメルト接着剤を介して接合している。かような芯材２３では、裏面シート２２と向かい合う面に仮想線Ｐ−Ｐ（図１参照）に沿って芯材２３を横断するＶ字溝からなる第１折曲案内手段５１が形成され、表面シート２１と向かい合う面に仮想線Ｑ−Ｑと、仮想線Ｒ−Ｒとに沿って芯材２３を横断するＶ字溝からなる第２、第３折曲案内手段５２，５３が形成されている。好ましい第１折曲案内手段５１は、図１，３においておむつ１の前後方向の寸法を二等分する中心線Ｄ−Ｄよりも前胴周り被覆域６寄りに形成されている。図３のおむつ１は、それが着用されるときに前後方向Ａにおいて湾曲すると、脚周り弾性部材１６と防漏カフ２８の弾性部材３８とが収縮して、体液吸収部３には前後方向の寸法を縮めようとする力が作用する。その作用を受けた体液吸収部３は、第１折曲案内手段５１の近傍が折曲されて、前後方向Ａにおける断面形状が逆向きのＶ字形を画き、おむつ着用者の肌（図示せず）に接近するような山部５６を形成する一方、第２、第３折曲案内手段５２，５３の近傍が折曲されて、逆向きのＶ字形とは反対のＶ字形を画き、おむつ着用者の肌から離間するような谷部５７，５８を形成して図４の状態になる。かような図４のおむつ１の山部５６は、前胴周り被覆域６から後胴周り被覆域７へ向かう尿の流れを止めることができ、また後胴周り被覆域７から前胴周り被覆域６へ向かう軟便の流れを止めることができる。それゆえにまた、このおむつ１では、股部被覆域５で混合された尿と軟便とでおむつ着用者の性器近傍や股部を汚すということがない。
【００１８】
図示例のおむつ１において、第１、第２、第３折曲案内手段５１，５２，５３は、Ｖ字形の溝をＵ字形やその他の形状の溝に代えることができる。また、体液吸収部３において体液吸収部３を横断する互いに平行な複数条の帯状部位を設定し、その帯状部位の剛性を帯状部位の前後に位置する部位の剛性よりも低くすることによって、その帯状部位を第１、第２、第３折曲手段５１，５２，５３とすることもできる。第１、第２、第３折曲案内手段５１，５２，５３による山部５６の形成を容易にするには、図示例の如く、股部被覆域５における芯材２３の幅が前後胴周り被覆域６，７における芯材２３の幅よりも狭くなるような砂時計型の芯材２３を使用することが好ましい。身体被覆部２と体液吸収部３とを接合するときには、両部２，３の接合面積割合を前後胴周り被覆域６，７における割合よりも股部被覆域５における割合を低くして、第１、第２、第３折曲手段５１，５２，５３における体液吸収部３の折曲が容易となるようにすることが好ましい。股部被覆域５において、身体被覆部２と体液吸収部３とを幅方向Ｂへ延びる互いに平行な複数条のストライプからなる接合域において接合するならば、身体被覆部２と体液吸収部３との接合によって生じる体液吸収部３の前後方向Ａにおける曲げ剛性が高くなるという影響を低く抑えることが可能になる。
【００１９】
さらに図示例のおむつ１において、体液吸収部３の裏面シート２２が不透液性のものである場合には、身体被覆部２の内面シート８に使用した不透液性のプラスチックフィルムを透液性のフィルムや不織布に代えたり、内面シート８を省いたりすることができる。また、内面シート８が不透液性のプラスチックフィルムである場合には、体液吸収部３の裏面シート２２を透液性のプラスチックフィルムや不織布に代えることもできる。
【００２０】
この発明においてはまた、防漏カフ２８の内側縁部３１を、図１，２に示される部位６１において体液吸収部３の表面シート２１に接合することで、第１折曲手段５１に沿った折曲、即ち山部５６の形成を容易にすることができる。部位６１は、図１、２に示されるように、第１折曲案内手段５１の近傍であって、山部５６の頂部よりも前方に位置する。この部位６１における接合によって山部５６の形成が極めて容易になる場合には、第２、第３折曲案内手段５２，５３のうちの少なくとも一方を省くことができる。防漏カフ２８それぞれの外側縁部３２は、図示例において体液吸収部３の側縁部２６のそれぞれに接合されていたがその側縁部２６の近傍における身体被覆部２に接合されていてもよい。

【００２１】
図５，６は、実施態様の一例を示す図３，４と同様な図である。図示例のおむつ１は、第１折曲案内手段５１と第３折曲案内手段５３とを有することにおいて図１のおむつ１と同じであるが、第２折曲案内手段を有していないことにおいて図１のおむつ１と異なっている。図５，６のおむつ１ではまた、股部被覆域５における芯材２３の体液吸収性材料４１が前胴周り被覆域６寄りにおいて特に密度が低くなるように形成されている。かような体液吸収部３は、第１折曲案内手段５１に沿って逆向きのＶ字形を画くように折曲されたときに、図５，６において仮想線Ｑで示す部位の近傍が容易に折曲されて、図３の山部５６と同じような山部を形成することができる。
【産業上の利用可能性】
【００２２】
この発明によれば、股下域において尿と軟便とが混合されることのないおむつの製造が簡単になる。
【図面の簡単な説明】
【００２３】
【図１】使い捨ておむつの部分破断平面図。
【図２】湾曲した状態にある使い捨ておむつの部分破断斜視図。
【図３】図１のＩＩＩ−ＩＩＩ線切断面を示す図。
【図４】図２のＩＶ−ＩＶ線断面図。
【図５】実施態様の一例を示す図３と同様な図。
【図６】図５のＶＩ−ＶＩ線断面図。
【符号の説明】
【００２４】
１    使い捨ておむつ
３    体液吸収部
５    股部被覆域
６    前胴周り被覆域
７    後胴周り被覆域
２１    表面シート
２２    裏面シート
２３    芯材
２８    防漏カフ
３１    内側縁部
３２    外側縁部
５１    第１折曲案内手段
５２    第２折曲案内手段
５３    第３折曲案内手段
Ａ    前後方向
Ｂ    幅方向
【図１】
0004845344.tif 000002
【図２】
0004845344.tif 000003
【図３】
0004845344.tif 000004
【図４】
0004845344.tif 000005
【図５】
0004845344.tif 000006
【図６】
0004845344.tif 000007